【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
遠隔デバイスへ無線で電力を供給する誘導電源装置であって，
ある動作周波数の信号を発生する１次回路であって，前記信号のデューティサイクルを調整して前記動作周波数で前記遠隔デバイスへ転送される電力量を変化させることができる回路と，
前記１次回路と電気通信するタンク回路であって，前記遠隔デバイスへある量の電力を転送するために，前記１次回路が前記信号を印加するタンク回路と，
前記遠隔デバイスから帰還信号を受信するように構成された前記誘導電源装置と，
前記帰還信号に応答して，前記誘導電源装置と前記遠隔デバイスとの間の電力転送効率を最適化するために，前記信号の前記動作周波数を制御するように構成された前記１次回路と，
前記帰還信号に応答して，前記動作周波数で前記遠隔デバイスへ転送される前記電力量を制御するために前記信号の前記デューティサイクルを制御するように構成された前記１次回路と，
を備える誘導電源装置。
【請求項２】
前記１次回路は，前記信号の前記動作周波数を実質的に共振周波数に維持する請求項１に記載の誘導電源装置。
【請求項３】
前記１次回路は，実質的に共振周波数を維持するために前記動作周波数を連続的に調整し，前記遠隔デバイスへ転送される前記電力量としきい値との比較によって前記デューティサイクルを連続的に調整する請求項１に記載の誘導電源装置。
【請求項４】
前記１次回路は，バッテリ充電曲線及び前記遠隔デバイスの要求のうち少なくとも一つによって，前記信号の前記デューティサイクルを制御する請求項１に記載の誘導電源装置。
【請求項５】
前記１次回路は，
１次制御器と，
前記１次制御器と電気通信する駆動器回路と，
前記駆動器回路と電気通信するスイッチング回路と，
前記遠隔デバイスの反射インピーダンスを感知する感知器であって，前記タンク回路及び前記１次制御器と電気通信する感知器と，
を含む請求項１に記載の誘導電源装置。
【請求項６】
前記スイッチング回路は一対のスイッチを含み，
各スイッチは，前記デューティサイクル及び前記動作周波数でＯＮに切り替えられ，互いに位相がずれており，
前記１次制御器は，前記帰還信号に応答して前記スイッチそれぞれの前記動作周波数を制御し，
前記１次制御器は，前記帰還信号に応答して前記スイッチそれぞれの前記デューティサイクルを制御する，
請求項５に記載の誘導電源装置。
【請求項７】
前記１次制御器は，前記感知器からの入力によって，前記信号の前記動作周波数を制御する請求項５に記載の誘導電源装置。
【請求項８】
前記１次回路は，前記遠隔デバイスから前記帰還信号を受信する無線受信器を含む請求項１に記載の誘導電源装置。
【請求項９】
ある動作周波数の信号を発生し，前記信号のデューティサイクルを調整して前記動作周波数で転送される電力量を制御する１次回路と，
前記１次回路と電気通信するタンク回路であって，遠隔デバイスへある量の電力を転送するために，前記１次回路が前記信号を印加するタンク回路と，
を備える誘導電源装置であって，前記遠隔デバイスから帰還信号を受信するように構成された誘導電源装置と，
前記誘導電源装置から電力を受電するための，前記誘導電源装置とは別の前記遠隔デバイスであって，
前記誘導電磁界によって励起される２次コイルと，
前記２次回路と電気通信する負荷と，
前記２次回路と電気通信する感知器と，
前記感知器と電気通信する２次制御器と，
前記誘導電源装置へ前記帰還信号を送信するための，前記２次制御器と電気通信する通信デバイスと，
を含む遠隔デバイスと，
を備えた誘導電力供給システムであって，
前記１次回路は，前記帰還信号に応答して前記誘導電源装置と前記遠隔デバイスとの間の電力転送効率を最適化するために，前記信号の前記動作周波数を制御し，
前記１次回路は，前記帰還信号に応答して，前記動作周波数で前記遠隔デバイスへ転送される前記電力量を制御するために前記信号の前記デューティサイクルを制御する，
誘導電力供給システム。
【請求項１０】
前記１次回路は，前記信号の前記動作周波数を実質的に共振周波数に維持する請求項９に記載の誘導電力供給システム。
【請求項１１】
前記１次回路は，実質的に共振周波数を維持するために前記動作周波数を連続的に調整し，前記遠隔デバイスへ転送された前記電力量としきい値との比較によって前記デューティサイクルを連続的に調整する請求項９に記載の誘導電力供給システム。
【請求項１２】
前記１次回路は，バッテリ充電曲線及び前記遠隔デバイスによって前記誘導電源装置に伝送された要求のうち少なくとも一つによって，前記信号の前記デューティサイクルを制御する請求項９に記載の誘導電力供給システム。
【請求項１３】
前記１次回路は，
１次制御器と，
前記１次制御器と電気通信する駆動器回路と，
前記駆動器回路と電気通信するスイッチング回路と，
前記遠隔デバイスの反射インピーダンスを感知する感知器であって，前記タンク回路及び前記１次制御器と電気通信する感知器と，
を含む請求項９に記載の誘導電力供給システム。
【請求項１４】
前記スイッチング回路は一対のスイッチを含み，
各スイッチは前記デューティサイクル及び前記動作周波数でＯＮに切り替えられ，互いに位相がずれており，
前記帰還信号に応答して前記１次制御器が前記スイッチそれぞれの前記動作周波数を制御し，
前記帰還信号に応答して前記１次制御器が前記スイッチそれぞれの前記デューティサイクルを制御する，
請求項１３に記載の誘導電力供給システム。
【請求項１５】
前記１次制御器は，前記感知器からの入力によって，前記信号の前記動作周波数を制御する請求項１３に記載の誘導電力供給システム。
【請求項１６】
前記１次回路は無線受信器を含み，前記遠隔デバイスは無線送信器を含み，前記無線受信器は前記無線送信器から前記帰還信号を受信する請求項９に記載の誘導電力供給システム。
【請求項１７】
誘導電源装置から遠隔デバイスへ電力を転送する方法であって，
前記誘導電源装置において信号の初期動作周波数を設定するステップと，
前記誘導電源装置において前記信号の初期デューティサイクルを設定して初期電力レベルを設定するステップと，
前記誘導電源装置から遠隔デバイスへある量の電力を転送するために，タンク回路に前記信号を印加するステップと，
前記誘導電源装置において前記遠隔デバイスから帰還信号を受信するステップと，
前記帰還信号に応答して，前記誘導電源装置と前記遠隔デバイスとの間の電力転送効率を最適化するために，前記信号の動作周波数を調整するステップと，
前記帰還信号に応答して，前記遠隔デバイスへ転送される電力量を制御するために，前記信号のデューティサイクルを調整するステップと，
を有する方法。
【請求項１８】
前記のデューティサイクルを調整するステップは，
前記遠隔デバイスへ転送される電力がしきい値を超えたと判定されたとき，前記信号の前記デューティサイクルを減少させるステップと，
前記遠隔デバイスへ転送される電力がしきい値未満であると判定されたとき，前記信号の前記デューティサイクルを増加させるステップと，
を含む請求項１７に記載の方法。
【請求項１９】
前記の初期動作周波数を設定するステップ及び前記動作周波数を調整するステップのうち少なくとも一つが，
周波数範囲を掃引するステップと，
動作周波数ごとに，前記遠隔デバイスへ転送される電力量を決定するステップと，
前記遠隔デバイスへ転送される電力量が，前記周波数範囲内のほかの周波数と比べて相対的に多い動作周波数を選択するステップと，
を含む請求項１７に記載の方法。
【請求項２０】
前記の初期動作周波数を設定するステップ及び前記動作周波数を調整するステップのうち少なくとも一つが，
周波数範囲を掃引するステップと，
共振周波数に最も近い動作周波数を選択するステップと，
を含む請求項１７に記載の方法。
【請求項２１】
前記動作周波数を調整する前記ステップは，実質的に共振周波数を維持するために前記動作周波数を連続的に調整するステップを含み，
前記デューティサイクルを調整する前記ステップは，前記遠隔デバイスへ転送される電力量としきい値との比較によって前記デューティサイクルを連続的に調整するステップを含む，請求項１７に記載の方法。
【請求項２２】
前記特性を調整する前記ステップは，バッテリ充電曲線及び前記遠隔デバイスの要求のうち少なくとも一つによって，前記デューティサイクルを調整するステップを含む請求項１７に記載の方法。
【請求項２３】
遠隔デバイスのための誘導電源装置であって，
タンク回路と，
前記タンク回路と電気通信する１次回路であって，前記タンク回路に信号を印加するように構成された回路と，
前記遠隔デバイスから情報を受信するように構成された受信器であって，前記１次回路と電気通信する受信器と，
を備え，
前記１次回路は前記タンク回路から前記遠隔デバイスへの電力転送効率を最適化するために，前記情報によって電気信号の動作周波数を選択的に調整するように構成され，
前記１次回路は，前記動作周波数で前記遠隔デバイスへ転送される電力量を制御するために前記情報によって前記信号のデューティサイクルを選択的に調整するように構成され，
前記誘導電源装置は，デューティサイクル調整によって適切な電力レベルを維持しつつ，動作周波数調整によって電力転送効率を維持する誘導電源装置。
【請求項２４】
前記受信器は，前記タンク回路に電気的に接続され，前記タンク回路内の電流を示す信号を供給する電流感知器として更に規定される請求項２３に記載の誘導電源装置。
【請求項２５】
前記受信器は，通信受信器として更に規定される請求項２３に記載の誘導電源装置。
【請求項２６】
遠隔デバイスへ無線で電力を供給する方法であって，
誘導電源装置の十分近傍に遠隔デバイスを配置して，前記遠隔デバイスと前記誘導電源装置との間に誘導結合を確立させるステップと，
前記誘導電源装置において，タンク回路に複数の異なる動作周波数の信号を印加して，前記遠隔デバイスに無線で電力を転送するステップと，
前記遠隔デバイスにおいて，前記異なる動作周波数ごとに，前記誘導電源装置から無線で受電した電力の特性を別個に測定するステップと，
前記の別個の測定によって初期動作周波数を決定するステップと，
前記誘導電源装置において，前記初期動作周波数の信号を前記タンク回路に印加するステップと，
前記誘導電源装置において，前記遠隔デバイスから情報を受信するステップと，
前記情報に応答して，前記誘導電源装置と前記遠隔デバイスとの間の電力転送効率を最適化するために，前記信号の動作周波数を調整するステップと，
前記情報に応答して，前記遠隔デバイスに転送される電力量を制御するために前記信号のデューティサイクルを調整するステップと，
を有する方法。
【請求項２７】
前記の決定ステップは，
前記複数の異なる動作周波数ごとに電力転送効率を示す情報を記憶するステップと，
最大電力転送効率となる動作周波数を前記初期動作周波数に選択するステップと，
を含む請求項２６に記載の方法。
【請求項２８】
前記の決定ステップは，
最大電力転送効率となる動作周波数を示す情報を記憶するステップと，
最大電力転送効率となる動作周波数を前記初期動作周波数に選択するステップと，
を含む請求項２６に記載の方法。
【請求項２９】
前記のタンク回路に信号を印加するステップは，前記遠隔デバイスに過給電する危険性がないように十分低く選択された第１電力レベルの信号を印加するステップを含む請求項２６に記載の方法。
【請求項３０】
前記のタンク回路に信号を印加するステップは，前記遠隔デバイスに過給電する危険性がないように十分低く選択されたデューティサイクルの信号を印加するステップを含む請求項２６に記載の方法。
【請求項３１】
前記動作周波数を制御する第１制御器と，前記デューティサイクルを制御する第２制御器とを更に含む請求項１に記載の誘導電源装置。
【請求項３２】
複数の遠隔デバイスの動作パラメータに関係する情報を記憶するメモリを更に含む請求項１に記載の誘導電源装置。
【請求項３３】
前記情報は前記遠隔デバイスごとに，該遠隔デバイスの共振周波数と，最大動作周波数と，最小動作周波数と，現在の利用法と，最小デューティサイクルと，最大デューティサイクルと，無線通信プロトコルと，のうち少なくとも一つを含む，請求項３２に記載の誘導電源装置。
【請求項３４】
前記別個の測定に基づいて初期デューティサイクルを決定するステップを更に有する請求項２６に記載の方法。
【請求項３５】
前記遠隔デバイスが過給電されないように，初期デューティサイクルを２０％以下に選択するステップを更に有する請求項２６に記載の方法。